(57)【要約】【課題】  副走査方向に斜入射で偏向器へ入射した光走査装置で起こる走査線曲がりを低減することを目的とする。【解決手段】  そこで、本発明では、走査光学系を構成する光学素子の中で最も被走査面に近い光学素子を副走査断面内において同一形状としている。【選択図】  図５
2005234110.tif 000002
【特許請求の範囲】
【請求項１】
光源手段と、光源から出射した光束を偏向手段に導く入射光学系と、該偏向手段で偏向した光束を被走査面上にスポットを形成する走査光学系を具備する光走査装置であって、
前記入射光学系から射出された光束は、副走査断面内で斜め方向から前記偏向手段へ入射し、前記走査光学系の最も被走査面側の光学素子は、副走査断面における前記走査光学系の光軸に対して対称形状であることを特徴とする光走査装置。
【請求項２】
前記走査光学系は複数の光学素子を備えており、該走査光学系のうち最も被走査面に近い光学素子が、最も偏向手段に近い前記走査光学系の光軸に対して偏芯していることを特徴する請求項１記載の光走査装置。
【請求項３】
前記走査光学系の光軸は、前記偏向手段の偏向面の法線と平行に配置されていることを特徴とする請求項１又は２記載の光走査装置。
【請求項４】
前記走査光学系うち少なくとも１つの光学素子は、プラスチックレンズであることを特徴とする請求項１〜３のいずれか一項記載の光走査装置。
【請求項５】
前記偏向手段は、複数の光束をそれぞれ異なる被走査面上に走査することを特徴とする請求項１〜４のいずれか一項記載の光走査装置。
【請求項６】
前記光源手段は、モノリシックマルチビームレーザーで構成されていることを特徴とする請求項１〜５のいずれか一項記載の光走査装置。
【請求項７】
請求項１〜６のいずれか一項に記載の光走査装置と、前記被走査面に配置された感光体と、前記光走査装置で走査された光束によって前記感光体上に形成された静電潜像をトナー像として現像する現像器と、前記現像されたトナー像を被転写材に転写する転写器と、転写されたトナー像を被転写材に定着させる定着器とを備えた画像形成装置。
【請求項８】
請求項１〜６のいずれか一項に記載の光走査装置と、外部機器から入力したコードデータを画像信号に変換して前記光走査装置に入力せしめるプリンタコントローラとを備えた画像形成装置。
【請求項９】
光源手段と、光源から出射した光束を偏向手段に導く入射光学系と、該偏向手段で偏向した光束を被走査面上にスポットを形成する光学素子を有する走査光学系を複数具備し、前記複数の光束を異なる複数の被走査面上に導く光走査装置であって、
前記入射光学系から射出された複数の光束は、副走査断面内で斜め方向から偏向手段へ入射し、前記複数の走査光学系を構成する夫々の光学素子の中で最も被走査面に近い光学素子を副走査断面内において同一形状としたことを特徴とする光走査装置。
【請求項１０】
前記最も被走査面に近い光学素子は、モールドレンズであることを特徴とする請求項９記載の光走査装置。
【請求項１１】
前記入射光学系から射出された複数の光束は、前記複数の光束に対応した前記複数の走査光学系を構成する夫々の光学素子の副走査断面での通過位置が異なることを特徴とする請求項９又は１０記載の光走査装置。
【請求項１２】
前記複数の走査光学系を構成する夫々の光学素子の中で最も被走査面に近い光学素子を副走査断面内において同一形状とすることで、前記複数の被走査面上での走査線湾曲を補正したことを特徴とする請求項９〜１１記載の光走査装置。
【請求項１３】
前記光源手段は、モノリシックマルチビームレーザーで構成されていることを特徴とする請求項９〜１２記載の光走査装置。
【請求項１４】
請求項９〜１３のいずれか一項に記載の光走査装置と、前記被走査面に配置された感光体と、前記光走査装置で走査された光束によって前記感光体上に形成された静電潜像をトナー像として現像する現像器と、前記現像されたトナー像を被転写材に転写する転写器と、転写されたトナー像を被転写材に定着させる定着器とを備えた画像形成装置。
【請求項１５】
請求項９〜１３のいずれか一項に記載の光走査装置と、外部機器から入力したコードデータを画像信号に変換して前記光走査装置に入力せしめるプリンタコントローラとを備えた画像形成装置。
【発明の詳細な説明】
【技術分野】
【０００１】
本発明はレーザープリンタ、デジタル複写機等の画像形成装置に用いられる光走査装置に関するものである。
【背景技術】
【０００２】
従来、レーザビームプリンターやデジタル複写機等の画像形成装置に用いられている光走査装置は、光源から射出された光束を入射光学手段により偏向素子に導光し、該偏向素子により偏向された光束を走査光学手段により被走査面である感光ドラム面上にスポット状に結像させ、該光束で感光ドラム面上を光走査している。
【０００３】
このような光走査装置においては、光源から射出した光束をコリメータレンズ等で略平行光に変換し、倒れ補正を行うために略平行光に変換された光束を、シリンドリカルレンズで偏向面近傍に線像を形成している。偏向器の偏向面で偏向された光束は、走査レンズで感光体ドラム面上を略等速で走査し、スポットを形成する。
【０００４】
図８において、１ａ、１ｂ、１ｃ、１ｄは光源手段であり、例えば半導体レーザーより成っている。２ａ、２ｂ、２ｃ、２ｄはシリンドリカルレンズであり、副走査方向のみに所定の屈折力を有している。光源手段１、そしてシリンドリカルレンズ２等の各要素は入射光学手段５１の一要素を構成している。
【０００５】
３は偏向素子としての光偏向器であり、例えば回転多面鏡より成り、モーター等の駆動手段（不図示）により図中矢印Ａ方向に一定速度で回転している。１１はｆθ特性を有する３枚のｆθレンズであり、副走査断面内において光偏向器３の偏向面３ａ、３ｂ近傍と被走査面としての感光ドラム面１００ａ、１００ｂ、１００ｃ、１００ｄ近傍との間を共役関係にすることにより倒れ補正機能を有している。
【０００６】
また、２色以上のカラー画像を形成するために、単一の偏向器に複数光束を入射させ、偏向器で偏向された複数の光束をそれぞれ、異なる被走査面へ導光することで、偏向器の数を増加させないようにしている。
【特許文献１】特開２０００−１２１９７７号公報
【発明の開示】
【発明が解決しようとする課題】
【０００７】
上記従来の光走査装置は、光束を分離するために偏向器の偏向面上で副走査方向に光束を分離し入射させているため、偏向器が大型化し、不図示のモーターへの負荷が大きくなるため、高価なモーターを用いる必要があった。また、走査レンズを光束の数に対応させて構成する必要があるため、装置が高価になるという問題を有する。
【０００８】
これらの問題を解決するために、特許文献１に開示されているような、複数の入射光束を副走査方向に斜入射で偏向器へ入射し、偏向後の光束を折り返しミラーで分離し、それぞれ異なる被走査面上を走査することが知られている。しかし、特許文献１記載のｆθレンズは、肉厚が１４ｍｍ以上で厚く、プラスチックで成形した場合の光学性能劣化が大きいことと、副走査方向にパワーを有するレンズに、４ｄｅｇ．以上の斜入射角で光束が入射しているため、被走査面上での走査線湾曲が５０μｍ以上と大きく発生しており画像劣化が生じやすいという問題がある。
【０００９】
本発明は、入射光束を副走査方向に射入射で偏向器へ入射させ、入射光束が偏向面上の略同一位置で偏向されるように各光学要素を配置し、単一かつ小型の偏向器を用いて、複数の光束を異なる被走査面に導光する安価な光走査装置を提供する。また、最も被走査面側のレンズを副走査断面内で、光軸と対称に形成されたレンズで構成し、かつ、そのレンズを複数の光束に対応した、複数の光路すべてに配置することで走査線湾曲を低減すると共に、レンズ製造誤差により発生する被走査面上での走査線湾曲の方向を揃える（色ずれが発生しない）ことが可能となる。更に、少なくとも１つの走査レンズをプラスチックレンズで構成することで、低価格で色ずれのないカラー画像形成装置を提供することができる。
【課題を解決するための手段】
【００１０】
本発明の第一の発明は、光源手段と、光源から出射した光束を偏向手段に導く入射光学系と、該偏向手段で偏向した光束を被走査面上にスポットを形成する走査光学系を具備する光走査装置であって、
前記入射光学系から射出された光束は、副走査断面内で斜め方向から前記偏向手段へ入射し、前記走査光学系の最も被走査面側の光学素子は、副走査断面における前記走査光学系の光軸に対して対称形状である構成とする。
【００１１】
本発明の第二の発明は、光源手段と、光源から出射した光束を偏向手段に導く入射光学系と、該偏向手段で偏向した光束を被走査面上にスポットを形成する光学素子を有する走査光学系を複数具備し、前記複数の光束を異なる複数の被走査面上に導く光走査装置であって、
前記入射光学系から射出された複数の光束は、副走査断面内で斜め方向から偏向手段へ入射し、前記複数の走査光学系を構成する夫々の光学素子の中で最も被走査面に近い光学素子を副走査断面内において同一形状とした構成とする。
【発明の効果】
【００１２】
本発明によれば前述の如く、走査光学系を構成する光学素子の中で最も被走査面に近い光学素子を副走査断面内において同一形状とすることで、被走査面上での走査線湾曲を補正している。
【発明を実施するための最良の形態】
【００１３】
（実施例１）
図１は、本発明の光走査装置の副走査断面図である。又、図２は、本発明の光装置内の光学系主走査断面図である。
【００１４】
９１は半導体レーザー等の光源、９２は該光源からの発散光を略平行光束に変換するコリメータレンズである。
【００１５】
９３は開口絞りで、通過光束の径を整えている。
【００１６】
９４は第二の光学系としてのシリンドリカルレンズであり、副走査方にのみ所定の屈折力を有しており、絞り９３を通過した後は副走査断面内で偏向器の偏向面にほぼ線像として結像している。
【００１７】
９５は偏向器としてのポリゴンミラーであり、矢印の方向に等速度で回転している。
【００１８】
９６は第三の光学系としてのｆθレンズであり、９６ａ、９６ｂ共に主走査面内で非球面形状のアナモフィックレンズで構成しており、偏向器９５により偏向された光束を被走査面としての感光ドラム面上に結像させ、かつ、偏向器の面倒れを補正している。
【００１９】
図３は、本発明の光装置内の光学系副走査断面図である。
【００２０】
９１は半導体レーザー等の光源、９２は該光源からの発散光を略平行光束に変換するコリメータレンズである。
【００２１】
９３は開口絞りで、通過光束の径を整えている。
【００２２】
９４は第二の光学系としてのシリンドリカルレンズであり、副走査方にのみ所定の屈折力を有しており、絞り９３を通過した後は副走査断面内で偏向器の偏向面にほぼ線像として結像している。
【００２３】
偏向面９５Ａで偏向された光束は、第三の光学系としてのｆθレンズ９６で被走査面としての感光ドラム面上に結像させる。
【００２４】
尚、本実施形態の光走査装置は、図１に示す様に、図２及び図３の光学系を複数用いて構成しているが、光学特性はすべて同一である。
【００２５】
本実施形態におけるｆθレンズ９６は次式の関数を用いて表している。
【００２６】
それぞれｆθレンズと光軸との交点を原点とし、
図２に示すように光軸に対して走査開始側と走査終了側で、光軸をＸ軸、主走査面内において光軸と直交する方向をＹ軸、副走査面内で光軸と直交する方向をｚ軸とし、以下の連続関数で表せる。
【００２７】
走査開始側、
【００２８】
【数１】
2005234110.tif 000003
【００２９】
走査終了側、
【００３０】
【数２】
2005234110.tif 000004
【００３１】
Ｒは曲率半径、Ｋ、Ｂ４、Ｂ６、Ｂ８、Ｂ１０は非球面係数である。
【００３２】
本実施例では、主走査方向の形状を光軸に対し、対称に構成している、即ち、走査開始側と走査終了側の非球面係数を一致させている。
【００３３】
また、副走査方向は、光軸に対して走査開始側と走査終了側で、ｆθレンズ９６のうち少なくとも１面の副走査面（光軸を含み主走査面と直交する面）内の曲率を、該レンズの有効部内において連続的に変化させており、主走査方向形状を光軸に対して対称に構成している。
【００３４】
副走査方向の形状は、図３に示すように、光軸に対して走査開始側と走査終了側で、光軸をＸ軸、主走査面内において光軸と直交する方向をＹ軸、副走査面内で光軸と直交する方向をＺ軸とし、以下の連続関数で表せる。
【００３５】
走査開始側、
【００３６】
【数３】
2005234110.tif 000005
【００３７】
走査終了側、
【００３８】
【数４】
2005234110.tif 000006
【００３９】
（ｒ’は副走査方向曲率半径、Ｄ２、Ｄ４、Ｄ６、Ｄ８、Ｄ１０は係数）
係数のサフィックスＳは走査開始側、ｅは走査終了側を表している。
【００４０】
副走査方向曲率半径とは、主走査方向の形状（母線）に直交する断面内における曲率半径である。
【００４１】
本実施例では、副走査方向のピント補正（像面湾曲補正）とｆθレンズにおける副走査方向の倍率の一様性（スポット径の像高による変動）を補正するために、最も被走査側のレンズ（Ｇ２）の被走査面側の面（ｒ４面）の副走査曲率半径を連続的に変化させている。通常、副走査曲率半径を少なくとも２面変化させて、両者を補正しているが、本実施形態では、主走査方向の形状で倍率の一様性が補正されるように構成しているため、一面のみ変化させることで像面湾曲を補正している。
【００４２】
つまり、本実施例では、有効画像領域内において、像高による副走査方向の像面湾曲を±１０％以内、そして、像高による副走査方向の倍率を±１０％以内とすることで、副走査方向に斜入射で光束が偏向面へ入射しているために発生する走査線湾曲を±１０％以内を実現している。
【００４３】
次に本発明の目的を達成するための手段と効果について説明する。
【００４４】
本実施例のｆθレンズ９６は、プラスチックレンズで作製されており、成形上有利なように主走査方向の形状が、走査開始側と終了側で対象に構成されている。更に、副走査方向の曲率半径は少なくとも１面が連続的に変化しており、像面湾曲、波面収差、スポット径の変動を補正している。さらに、本実施形態では、副走査方向に斜入射で光束が偏向面へ入射しているために発生する走査線湾曲と、波面収差の劣化をＧ２レンズの偏芯により補正している。
【００４５】
また、光源からの入射光束は、主走査断面内において、光軸に対して角度α（≠０）で入射しているため、偏向器９５の回転に伴う面の出入り（サグ）が、走査開始側と走査終了側で非対称に発生するため、非対称性を補正するために、副走査方向の曲率を光軸に対して非対称に変化させている。
【００４６】
本発明の光走査走査装置は、異なる２方向から同一角度で偏向面の略同一位置に入射した２つの光束を、レンズの光軸を挟み対称な位置を光束が通過するように最も偏向器側のレンズ（Ｇ１）を配置している。複数の入射光束は、偏向面の副走査方向の略同一位置で偏向されるため、偏向面を低く構成できる。また、Ｇ１レンズは、副走査方向の曲率半径が略平面であり、副走査方向のパワーをほとんど有していないため、光束が軸外を通過することによる光学性能の劣化を防止している。
【００４７】
図３の下方から斜めに偏向面へ入射した光束は、Ｇ１レンズを通過したあと、第一の折り返しミラーで反射され、最も被走査面側のレンズ（Ｇ２）を通過し、第二の折り返しミラーで反射し、平板で構成された防塵ガラスを通過した後被走査面としての感光ドラム面上を走査する。また、図３の上方から入射した光束は、Ｇ１レンズを通過したあと、Ｇ２レンズを通過し、第３の折り返しミラーで反射され、被走査面としてのドラム面を走査する。
【００４８】
図６に示すように図３のＧ２レンズは、子線面頂点を母線方向に連ねた点が、直線であり（図中破線で示す）、この直線は、偏向面の法線と平行である。更に、Ｇ２レンズの光軸は、主走査断面において被走査面の垂直２等分線と平行で、Ｇ１レンズの光軸に対して、Δ＝１．４５６ｍｍシフトしている。
【００４９】
図７に示すように、副走査断面内のＧ２レンズの形状は、光軸（子線の面頂点）を挟んで対称に形成されている。これは、光軸を挟み非対称形状にすると、レンズ成形時に母線が副走査方向に湾曲する（レンズがそる）のを防止できるというメリットを有する。また、本実施形態のようにひとつの偏向器で４本の光束を偏向、走査する光学装置では、副走査方向の曲率半径が光軸に対して非対称に変化しているレンズ（本実施形態のＧ２レンズ）の走査開始側と走査終了側の関係は、主走査断面内で反転させて使用できないため、副走査断面内で非対称なレンズ（子線面頂点がレンズ中心に対して副走査方向に偏芯したレンズ）で構成した場合は、偏芯方向が異なる２種類のレンズで構成する必要がある。又、装置内に異なる形状のＧ２レンズを用いるとレンズ成形上の誤差や、ばらつきにより光学特性が劣化するのでよくない。
【００５０】
さらに本実施形態では、２つのｆθレンズの光軸が平行かつ、偏向面に対して垂直になるように構成しているため、光学箱に取り付ける際のレンズ取り付け精度が、光軸が傾いている系に比べ高く、光学性能が劣化し難いというメリットも有する。
【００５１】
表１に本実施形態の光学パラメータを示す。
【００５２】
【表１】
2005234110.tif 000007
【００５３】
ｆθレンズ９６は、被走査面側に凸面を向けたの正メニスカス形状で、９６ａ、９６ｂのうち少なくとも一面の副走査面（光軸を含み主走査面と直交する面）内の曲率を、該レンズの有効部内において連続的かつ、光軸に対して略対称に変化させ、像面湾曲の非対称性と、スポット径の変動を同時に補正している。
【００５４】
図３に示すようにＧ２レンズは、副走査断面でＧ１レンズの光軸に対して１．４５６ｍｍ偏芯させて配置し、斜入射で発生する波面収差の劣化と被走査面上での走査線湾曲を低減させている。また、図３の上方から入射した光束に対しては、Ｇ２レンズを下方に偏芯させ、下方から入射した光束に対しては上方に同量偏芯させ、図８に示すようにＧ２レンズ上を通過する光束が、それぞれ副走査断面内でＧ２レンズの光軸に対して反対の位置を通過することで光学特性（走査線湾曲）を補正している。このように配置するとＧ２レンズの製造誤差で副走査方向にレンズが沿った場合同一方向にそった場合の被走査面上の走査線湾曲方向が揃うのでよい。また、そりが同一量であれば色ずれは発生しないというメリットを有する。
【００５５】
本実施例では、副走査曲率変化面は１面で構成されており、かつ概面は、軸外に極値を持つことなく光軸に対して略対称に変化させ波面収差を良好に補正している。また、ｆθレンズは、成形上有利になるように主走査方向の形状を被走査面９７の垂直二等分線に対して対称に構成し、最も偏向器側のレンズは、副走査方向の曲率半径が無限大であり、副走査方向のパワーをほとんど有していない。副走査方向の結像性能は、最も非走査面側のレンズの最も非走査側の面のみで補正している。図４に示すように、主走査方向、副走査方向共に光学特性は良好に補正されている。
【００５６】
また、本実施形態では、ｆθレンズ７６は二枚で構成されているが、ｆθレンズは、三枚以上であってもよく、さらに、回折素子等の光学素子を用いても全く同様の効果を得ることができる。さらに、光源にシングルビームレーザーを用いているが、２以上の複数の発光点を有するマルチビームレーザーを用いても同様の効果が得られる。
【００５７】
つまり、Ｇ１レンズ９６ａとＧ２レンズ９６ｂの間に１枚以上のレンズ、回折光学素子、曲面ミラーが配置されていても良い。
【００５８】
以上のように、副走査方向に角度を有した複数の光線を単一の偏向器でそれぞれ異なる被走査面上に導光する光走査装置において、入射光束を偏向面の略同一位置で偏向させることで、偏向面の高さを薄くし、モーターへの負荷を軽減すると共に、複数の入射光束に対応した複数個のレンズを同一形状で構成することにより、製造時誤差等で発生する光学性能劣化を防止し、色ずれの少ない、高性能な光走査装置を得ることが可能となる。
【００５９】
（実施例２）
本実施形態の実施形態１と異なる点は、Ｇ１レンズがガラスモールドで作製された非球面レンズで構成されていることであり、その他の構成及び効果は、実施形態１と同様である。
【００６０】
本実施形態のｆθレンズ８６のうち、Ｇ１レンズは、ガラスモールドで作製されており、成形上有利なように主走査方向の形状が、走査開始側と終了側で対象に構成されている。更に、副走査方向の曲率半径は少なくとも１面が連続的に変化いており、像面湾曲、波面収差、スポット径の変動を補正している。また、又、実施形態１同様にサグ量が小さいため、副走査方向の曲率半径を光軸に対して略対称に変化させ、その変化は、波面収差を良好に補正するために、極値を２以上持つことなく変化させている。
【００６１】
本実施形態では、レンズを成形上有利なように最も偏向器側のレンズと、最も非走査面側のレンズの偏向器側の面（ｒ３面）も副走査方向の曲率半径を｜ｒ｜＝１０００としている。一般にモールド成型は、平面を構成するのが難しく、光学面にくせが発生しやすいため緩い曲率（｜ｒ｜≧１００）をつけた方が成型上有利になるというメリットを有しているためである。又、Ｇ１レンズにガラスを用いることにより、環境変動（温度、湿度）による光学性能の劣化を低減することが可能となる。本実施形態では、主走査方向のパワーがＧ１レンズに略集中しているため、主走査方向の光学特性が、環境変化の影響を受けづらくなるというメリット有する。
【００６２】
本実施形態においても実施形態１と同様、副走査方向の結像性能は、最も被走査面側の面のみで補正しており、４つのステーションそれぞれのＧ２レンズを同一形状とすることで、レンズ製造誤差により発生する走査線湾曲劣化を低減している。
【００６３】
以上のように本実施例では、最も非走査面側のレンズをガラスモールドで作製した非球面レンズで構成し、環境変化による光学性能劣化を低減しさらに色ずれの少ない、高性能な光走査装置を得ることが可能となる。
【００６４】
（実施例３）
本実施形態の実施形態１と異なる点は、光源に複数の発光点同一チップ内に有するモノリシックマルチビームレーザーを用いた点である。その他の構成及び効果は、実施形態１と同様である。
【００６５】
本実施形態の光源は、レーザーチップを４つ並べて配置されており、それぞれ２つ発光点を有するモノリシックマルチビームレーザーで構成されており、それぞれ４つの感光ドラム面上を２本のビームが略並行に走査するように構成されている。
【００６６】
本実施形態のｆΘレンズは、副走査方向の横倍率が像高によらず一定になっているため、同一の感光体ドラム面上の２本のビーム間隔は一定となる。又、副走査方向の曲率半径は少なくとも１面が連続的に変化いており、像面湾曲、波面収差、スポット径の変動を補正している。また、又、実施形態１同様にサグ量が小さいため、副走査方向の曲率半径を光軸に対して略対称に変化させ、その変化は、波面収差を良好に補正するために、極値を２以上持つことなく変化させている。
【００６７】
本実施形態では、光源にモノリシックマルチビームレーザーを用い、より高速な光走査装置を得ることができるだけでなく、シングルビームレーザーで構成された光走査装置と同一の印字枚数の画像形成装置に適用した場合は、ポリゴンモーターの回転数を低減させることができ、さらに安価なモーターを使用できるというメリット有する。
【００６８】
以上のように本実施例では、光源をモノリシックマルチビームレーザーで構成し、より高速で色ずれの少ない、高性能な光走査装置を得ることが可能となる。
【００６９】
［画像形成装置］
図９は、本発明の画像形成装置の実施形態を示す副走査方向の要部断面図である。図９において、図９において、６０はカラー画像形成装置、１１は各々実施形態１〜３に示したいずれかの構成を有する走査光学装置、２１、２２、２３、２４は各々像担持体としての感光ドラム、３１、３２、３３、３４は各々現像器、５１は搬送ベルトである。
【００７０】
図において、カラー画像形成装置６０には、パーソナルコンピュータ等の外部機器５２からＲ（レッド）、Ｇ（グリーン）、Ｂ（ブルー）の各色信号が入力する。これらの色信号は、装置内のプリンタコントローラ５３によって、Ｃ（シアン）、Ｍ（マゼンタ）、Ｙ（イエロー）、Ｂ（ブラック）の各画像データ（ドットデータ）に変換される。これらの画像データは、それぞれ走査光学装置１１に入力される。そして、これらの走査光学装置からは、各画像データに応じて変調された光ビーム４１、４２、４３、４４が出射され、これらの光ビームによって感光ドラム２１、２２、２３、２４の感光面が主走査方向に走査される。
【００７１】
本実施態様におけるカラー画像形成装置は１つの走査光学装置（１１）から、各Ｃ（シアン）、Ｍ（マゼンタ）、Ｙ（イエロー）、Ｂ（ブラック）の各色に対応した光線を射出し、感光ドラム２１、２２、２３、２４面上に画像信号（画像情報）を記録し、カラー画像を高速に印字するものである。
【００７２】
本実施態様におけるカラー画像形成装置は上述の如く１つの走査光学装置１１により各々の画像データに基づいた光ビームを用いて各色の潜像を各々対応する感光ドラム２１、２２、２３、２４面上に形成している。その後、記録材に多重転写して１枚のフルカラー画像を形成している。
【００７３】
前記外部機器５２としては、例えばＣＣＤセンサを備えたカラー画像読取装置が用いられても良い。この場合には、このカラー画像読取装置と、カラー画像形成装置６０とで、カラーデジタル複写機が構成される。
【図面の簡単な説明】
【００７４】
【図１】本実施例１の光走査装置における副走査断面図
【図２】本実施例１の光学系主走査断面図
【図３】本実施例１の光学系副走査断面図
【図４】本実施例１の光学性能を示す図
【図５】本発明のｆθレンズの主走査断面を示す図
【図６】本発明のｆθレンズの副走査断面を示す図
【図７】本発明のｆθレンズ上のビーム通過位置を示す模式図
【図８】従来の光走査装置
【図９】本発明の画像形成装置
【符号の説明】
【００７５】
９１  半導体レーザー等の光源
９２  コリメータレンズ
９３  開口絞り
９４  シリンドリカルレンズ
９５  ポリゴンミラー
９６  ｆθレンズ
【図１】
2005234110.tif 000008
【図２】
2005234110.tif 000009
【図３】
2005234110.tif 000010
【図４】
2005234110.tif 000011
【図５】
2005234110.tif 000012
【図６】
2005234110.tif 000013
【図７】
2005234110.tif 000014
【図８】
2005234110.tif 000015
【図９】
2005234110.tif 000016